(57)【要約】【課題】洗浄槽内に給水して食器を洗浄する食器洗浄装置において、待機時消費電力量をほとんど零にし、電源オフ状態で、給水手段からの水漏れを検出できるようにする。【解決手段】交流電源１に直列に接続した水位スイッチ２より制御手段３に交流電力を供給し、制御手段３により電源リレー４を制御し、洗浄槽内に給水弁５により給水し、洗浄ポンプ６により食器を洗浄し、洗浄槽内の洗浄水を排水ポンプ７により排水する。水位スイッチ２により制御手段３を運転起動するようにする。【選択図】図１
2005095485.tif 000002
【特許請求の範囲】
【請求項１】
交流電源と、前記交流電源に直列に接続した水位スイッチと、前記水位スイッチより交流電力を供給される制御手段と、前記制御手段により制御される電源開閉手段と、洗浄槽内に給水する給水手段と、食器を洗浄する洗浄手段と、洗浄槽内の洗浄水を排水する排水手段とを備え、前記水位スイッチにより前記制御手段を運転起動するようにした食器洗浄装置。
【請求項２】
水位スイッチは、設定水位に達すると接点が閉じるようにし、接点が閉じると制御手段に通電して運転起動するようにした請求項１記載の食器洗浄装置。
【請求項３】
制御手段に通電して電源開閉手段を閉じた後、排水手段を駆動するようにした請求項１記載の食器洗浄装置。
【請求項４】
水位スイッチが閉じる設定水位は、洗浄運転可能な水位に設定した請求項１記載の食器洗浄装置。
【請求項５】
水位スイッチは、共通端子、常閉接点、および常開接点を有し、設定水位に達すると前記常閉接点が開いて前記常開接点が閉じるようにし、前記常開接点が閉じると制御手段に通電して運転起動するようにし、前記常閉接点の信号により水位を判定するようにした請求項１記載の食器洗浄装置。
【請求項６】
水位スイッチは、共通端子、常閉接点、および常開接点を有し、設定水位に達すると前記常閉接点が開いて前記常開接点が閉じるようにし、前記常開接点が閉じると制御手段に通電して運転起動するようにし、前記常閉接点の信号により設定水位と判定した場合、排水手段を駆動するようにした請求項１記載の食器洗浄装置。
【発明の詳細な説明】
【技術分野】
【０００１】
本発明は、洗浄槽内に給水して食器を洗浄する食器洗浄装置に関するものである。
【背景技術】
【０００２】
従来、この種の食器洗浄装置は、給水手段を家庭の水道蛇口に直結して接続しているので、給水手段からの水漏れを溢水検知手段により常に検知する必要があった（例えば、特許文献１参照）。
【特許文献１】特開平４−３３６３６号公報
【発明の開示】
【発明が解決しようとする課題】
【０００３】
しかしながら、このような従来の構成では、給水手段からの水漏れを検知する水漏れ検知手段、あるいは、溢水検知手段からの検知信号をマイクロコンピュータにより検出する必要があるので、マイクロコンピュータは常に検知動作状態にする必要があり、マイクロコンピュータとその周辺回路の待機時消費電力量が、洗浄運転の消費電力量の１０〜２０％にも達するという問題があった。
【０００４】
本発明は上記従来の課題を解決するもので、待機時消費電力量をほとんど零にし、電源オフ状態で、給水手段からの水漏れを検出できるようにすることを目的としている。
【課題を解決するための手段】
【０００５】
本発明は上記目的を達成するために、交流電源に直列に接続した水位スイッチより制御手段に交流電力を供給し、制御手段により電源開閉手段を制御し、洗浄槽内に給水手段により給水し、洗浄手段により食器を洗浄し、洗浄槽内の洗浄水を排水手段により排水するよう構成し、水位スイッチにより制御手段を運転起動するようにしたものである。
【０００６】
これにより、設定水位に達すると制御手段が通電されて運転起動し、給水手段からの水漏れを検出することができ、運転中以外は通電されないので待機時消費電力をほとんど零にすることができる。
【発明の効果】
【０００７】
本発明の食器洗浄装置は、設定水位に達すると制御手段が通電されて運転起動し、給水手段からの水漏れを検出することができ、運転中以外は通電されないので待機時消費電力をほとんど零にすることができる。
【発明を実施するための最良の形態】
【０００８】
第１の発明は、交流電源と、前記交流電源に直列に接続した水位スイッチと、前記水位スイッチより交流電力を供給される制御手段と、前記制御手段により制御される電源開閉手段と、洗浄槽内に給水する給水手段と、食器を洗浄する洗浄手段と、洗浄槽内の洗浄水を排水する排水手段とを備え、前記水位スイッチにより前記制御手段を運転起動するようにしたものであり、設定水位に達すると制御手段に通電されて運転起動し、給水手段からの水漏れを検知することができ、水漏れが生じても排水するので溢水の恐れがなく、洗浄運転や漏水以外には通電されないので待機時消費電力をほとんど零にすることができる。
【０００９】
第２の発明は、上記第１の発明において、水位スイッチは、設定水位に達すると接点が閉じるようにし、接点が閉じると制御手段に通電して運転起動するようにしたものであり、漏水時には設定水位に達すると制御手段に通電されるので、制御手段を常に連続通電する必要がなく、待機時消費電力をほとんど零にすることができる。
【００１０】
第３の発明は、上記第１の発明において、制御手段に通電して電源開閉手段を閉じた後、排水手段を駆動するようにしたものであり、水漏れが発生すると制御手段に通電されて排水手段を駆動し、洗浄槽内の水を排水するので、洗浄槽からの溢水を防止できる。
【００１１】
第４の発明は、上記第１の発明において、水位スイッチが閉じる設定水位は、洗浄運転可能な水位に設定したものであり、１つの水位スイッチにより洗浄水位検知と水漏れ検知を兼用できるので、水位スイッチの設置場所を増やす必要がなく、コンパクトで安価な水漏れ検知手段を実現できる。
【００１２】
第５の発明は、上記第１の発明において、水位スイッチは、共通端子、常閉接点、および常開接点を有し、設定水位に達すると前記常閉接点が開いて前記常開接点が閉じるようにし、前記常開接点が閉じると制御手段に通電して運転起動するようにし、前記常閉接点の信号により水位を判定するようにしたものであり、常閉接点の信号により水位判定が可能となるので、制御手段が通電され運転起動してから水位信号の有無により洗浄槽水位が設定水位かどうか判定でき、さらに異常、正常の判定も可能となる。
【００１３】
第６の発明は、上記第１の発明において、水位スイッチは、共通端子、常閉接点、および常開接点を有し、設定水位に達すると前記常閉接点が開いて前記常開接点が閉じるようにし、前記常開接点が閉じると制御手段に通電して運転起動するようにし、前記常閉接点の信号により設定水位と判定した場合、排水手段を駆動するようにしたものであり、水位信号の有無により確実に水漏れ異常が判定でき、水漏れ異常の場合には排水することにより洗浄槽からの溢水を防止できる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における食器洗浄装置のブロック図を示すものである。
【００１６】
図１に示すように、交流電源１は、水位スイッチ２を直列に接続し、水位スイッチ２に直列に制御手段３を接続し、制御手段３によりて負荷を制御する。水位スイッチ２は、洗浄槽（図示せず）内の水位に応じて開閉するもので、通常は、水位に応じて上下移動するフロートと、マイクロスイッチよりなるフロートスイッチとで構成し、共通端子、常閉接点、および常開接点を有し、共通端子Ｃ、常閉接点端子ＮＣ、常開接点端子ＮＯより構成される。洗浄槽内の水位が洗浄運転可能な設定水位に達すると、常閉接点が開いて常開接点が閉じるようにし、常開接点が閉じると制御手段３に交流電力を通電して運転起動するようにしている。
【００１７】
水位スイッチは、設定水位を洗浄運転開始する水位に設定すると、洗浄水位検知スイッチと、電源オフ時の水漏れ検知スイッチを兼用することができる。洗浄槽から溢水する水位よりも少し低い水位に設定し、溢水検知スイッチとしてもよいが、洗浄水位検知が別途必要となる。
【００１８】
水位スイッチ２と並列に電源リレー（電源開閉手段）４を接続し、水位スイッチ２の常開接点が閉じて制御手段３に交流電圧が印加されると制御手段３は運転起動し、電源リレー４を駆動して自己保持させる。
【００１９】
制御手段３は、マイクロコンピュータを主たる制御装置とした制御回路３０と、負荷を制御するパワースイッチング手段３１と、行程フラグや運転コースフラグ、異常を含む各種状態信号を記憶する不揮発性の記憶手段３２と、制御回路３０に必要な直流電力を供給する直流電源回路３３と、運転中、洗浄槽からの溢水を検知する溢水検知手段３４とで構成している。
【００２０】
パワースイッチング手段３１は、双方向制御可能な３端子サイリスタ（以下、サイリスタという）あるいはリレーで構成し、食器を収容する洗浄槽内に給水する給水弁（給水手段）５はサイリスタ３１ａによりオンオフ制御される。食器に洗浄水を噴射する洗浄ポンプ（洗浄手段）６は、モータにより駆動される回転ポンプより構成し、サイリスタ３１ｂにより回転制御される。洗浄槽内の洗浄水を排水する排水ポンプ（排水手段）７は、モータにより駆動される回転ポンプより構成し、サイリスタ３１ｃにより回転制御される。
【００２１】
加熱手段８は洗浄水を加熱するもので、ヒータリレー３１ｄにより制御される。また、送風手段９は洗浄槽内の食器を乾燥するもので、サイリスタ３１ｅにより制御される。
【００２２】
水位スイッチ２と並列に起動スイッチ１０を接続し、起動スイッチ１０あるいは水位スイッチ２を介して制御手段３に交流電力が供給されると、制御手段３は電源リレー４を導通させて自己保持動作を行う。
【００２３】
信号ｒｙ１、ｒｙ２は電源リレー４とヒータリレー３１ｄを制御する信号で、信号ｔｒ１からｔｒ４はサイリスタ３１ａ、３１ｂ、３１ｃ、３１ｅを制御する信号である。
【００２４】
直流電源回路３３は、商用交流電圧を１０〜２０Ｖの低圧交流に変換する電源トランス３３０と、低圧交流を低電圧直流に変換する低圧整流回路３３１と、制御回路３０内の制御シーケンスを実行するマイクロコンピュータ（図示せず）等に必要な直流定電圧に変換する直流定電圧電源回路３３２とで構成している。
【００２５】
蓋スイッチ１１は、洗浄槽の蓋（図示せず）の開閉に連動して動作するもので、パワースイッチング手段３１と直列に接続し、蓋開時には接点が開き、蓋閉時には接点が閉じて負荷の駆動が可能となる。ただし、蓋開時でも排水ポンプ７は動作可能とするために、蓋スイッチ１１とは独立した回路にしている。
【００２６】
蓋スイッチ１１とパワースイッチング手段３１との間に加熱手段８等の負荷回路を接続することにより、蓋スイッチ１１が開くと負荷回路は交流電源１に対し両切りとなる。
【００２７】
制御回路３には、水位スイッチ２の常閉接点端子ＮＣからの水位信号ｗｓと、蓋スイッチ１１の開閉信号ｓｆが加えられ、制御回路３０に加えられる各種信号に応じて運転を制御し、常閉接点端子ＮＣからの水位信号ｗｓがあれば、洗浄槽の水位は設定水位に達しておらず、水位信号ｗｓがない場合には設定水位に達していると判断する。
【００２８】
また、開閉信号ｓｆがあれば蓋スイッチ１１は閉じており、開閉信号ｓｆがなければ、蓋スイッチ１１は開いていると判断する。蓋スイッチ１１が開いた場合には、排水動作以外はすべて停止させ、サイリスタ３１ｃを除いたすべてのパワースイッチング手段３は強制的にオフさせる。
【００２９】
水位スイッチ２あるいは起動スイッチ１０が閉じると、直流電源回路３３に交流電力が加えられ、制御回路３０に直流定電圧が加えられてマイクロコンピュータがリセット解除され、電源リレー４を駆動して自己保持する。つぎに、水位信号ｗｓの有無を判別することにより、水位スイッチ２と起動スイッチ１０のどちらが閉じたかを判別するとができる。もし、水位信号ｗｓがあれば、起動スイッチ１０により起動したものと判別でき、水位信号ｗｓがなければ、洗浄槽内に洗浄水が溜まった状態で起動したものと判別でき、通常使用時にはあり得ないので異常と判定してサイリスタ３１ｃをオンにし、排水ポンプ７を所定時間以上駆動し排水運転を行う。
【００３０】
上記構成において図２を参照しながら動作を説明する。図２は、本発明による食器洗浄装置の動作を示すフローチャートである。
【００３１】
水漏れにより洗浄槽内の水位が上昇し、水位スイッチ２が閉じると、制御手段３に交流電力が加えられ、制御回路３０に所定の直流電圧が印加されると制御回路３０の制御シーケンスを実行するマイクロコンピュータがリセット解除されてステップ１００よりプログラムが開始する。
【００３２】
最初に、ステップ１０１において電源リレー４を駆動し、電源リレー４が閉じると制御手段３の駆動電力は電源リレー４を介して交流電源１から交流電力を供給され自己保持する。通常、マイクロコンピュータは所定電圧範囲しか動作しないので、所定電圧にてリセット解除するリセット回路が必ず存在するので、リセット解除後にプログラムが開始して最初に電源リレー４を導通させると自己保持動作となる。
【００３３】
つぎに、ステップ１０２に進んで、排水ポンプ７を駆動し洗浄槽内が空になるまで排水する。つぎに、ステップ１０３に進んで水位スイッチ２の常閉接点端子ＮＣ信号、すなわち水位信号ｗｓを入力し、ステップ１０４にて水位信号ｗｓの有無を判定する。
【００３４】
水位信号ｗｓがなければ洗浄槽水位が設定水位以上と判定し、ステップ１０５進んで異常報知を行い、ステップ１０２に戻って排水ポンプ７を駆動して所定時間以上、あるいは洗浄槽が空になるまで排水動作を行う。排水ポンプ７が動作しない場合には、異常報知するので排水異常報知となる。
【００３５】
水位信号ｗｓがあれば洗浄槽内の水位は設定水位以下で、洗浄槽内の水は排水されたものと判定し、ステップ１０６に進んで電源リレー４をオフしてプログラムは終了する。
【００３６】
以上のように、本実施の形態においては、交流電源１に直列に接続した水位スイッチ２より制御手段３に交流電力を供給し、水位スイッチ２により制御手段を運転起動するようにしたので、設定水位に達すると制御手段３が通電されて運転起動し、給水弁５からの水漏れを検出することができ、運転中以外は通電されないので待機時消費電力をほとんど零にすることができる。
【００３７】
また、水位スイッチ２は、設定水位に達すると常開接点が閉じるようにし、常開接点が閉じると制御手段３に通電して運転起動するようにしたので、漏水時には設定水位に達すると制御手段３に通電されるので、制御手段３を常に連続通電する必要がなく、待機時消費電力をほとんど零にすることができる。
【００３８】
また、制御手段３に通電して電源リレー４を閉じた後、排水ポンプ７を駆動するようにしたので、水漏れが発生すると制御手段３に通電されて排水ポンプ７を駆動し、洗浄槽内の水を排水するので、洗浄槽からの溢水を防止できる。
【００３９】
また、水位スイッチ２が閉じる設定水位は、洗浄運転可能な水位に設定したので、１つの水位スイッチにより洗浄水位検知と水漏れ検知を兼用できるので、水位スイッチの設置場所を増やす必要がなく、コンパクトで安価な水漏れ検知手段を実現できる。
【００４０】
また、水位スイッチ２は、設定水位に達すると常閉接点が開いて常開接点が閉じ、常開接点が閉じると制御手段３に通電して運転起動するようにし、常閉接点の信号により水位を判定するようにしたので、常閉接点の信号により水位判定が可能となるので、制御手段３が通電され運転起動してから水位信号の有無により洗浄槽水位が設定水位かどうか判定でき、さらに異常、正常の判定も可能となる。
【００４１】
なお、本実施の形態では、水位スイッチ２は、上下移動するフロートと、マイクロスイッチよりなるフロートスイッチとで構成した事例で説明したが、圧力スイッチにより構成してもよく、同様の作用、効果となることは明白である。
【００４２】
また、水位スイッチ２の設定水位は、通常の洗浄運転開始する水位に設定し、洗浄運転における水位の検出と、電源オフ時の水漏れ検出を兼用しているが、電源オフ時の水漏れ検出水位スイッチにより運転起動可能とし、洗浄運転の洗浄水位検知スイッチを別に設けてもよく、同様の効果となることは明白である。
【００４３】
（実施の形態２）
図１に示す制御手段３は、水位スイッチ２の常閉接点の信号により設定水位と判定した場合、排水ポンプ（排水手段）７を駆動するようにしている。他の構成は上記実施の形態１と同じである。
【００４４】
上記構成において図３を参照しながら動作を説明する。図３は、本発明による食器洗浄装置の動作を示すフローチャートである。
【００４５】
図３において、ステップ２００よりプログラムが開始し、ステップ２０１にて電源リレー４を駆動し自己保持させる。つぎに、ステップ２０２に進んで水位信号を入力し、ステップ２０３に進んで水位信号ｗｓの有無を判定し、水位信号ｗｓがあれば水位スイッチ２が動作したのではなく、起動スイッチ１０により運転起動したと判断してステップ２０４に進み初期設定待機状態となる。
【００４６】
ステップ２０３において水位信号ｗｓがなければ、水漏れと判断してステップ２０５に進み水漏れ異常報知を行い、つぎに、ステップ２０６に進んで洗浄槽が空になるまで排水ポンプ７を駆動し排水運転を行う。つぎに、ステップ２０７に進んで水位信号を入力し、つぎに、ステップ２０８に進んで操作表示パネルからの運転切り信号を入力し、ステップ２０９に進んで運転切り信号の有無を判定し、運転切り信号がなければステップ２１０に進んで水位信号ｗｓの有無を判定する。水位信号ｗｓが無ければ、水位スイッチ２の常閉接点は開いており、設定水位以上なのでステップ２０５に戻って異常報知を行う。
【００４７】
水位信号ｗｓがあれば、水位スイッチ２の常閉接点は閉じており、洗浄槽の水位は設定水位以下に低下したと判断し、ステップ２１１に進んで水漏れ異常フラグを立て、ステップ２１２に進んで水漏れ異常フラグを記憶手段３２に記憶し、ステップ２１３に進んで電源リレー４をオフし、ステップ２１４に進んでプログラムを終了する。
【００４８】
ステップ２０９において、運転切り信号がありと判定されると、異常の対策、すなわち、水漏れ異常の原因がわかって対策したものと判断し、水漏れ異常フラグをクリアする。
【００４９】
水漏れ異常ではなく、使用者により運転開始された場合には、ステップ２１６の運転開始信号の有無により正常スタートと判断されてステップ２１７に進んで所定時間排水ポンプ７を駆動し、つぎに、ステップ２１８に進んで給水弁５を駆動し、ステップ２１９にて水位信号ｗｓを入力してステップ２２０に進み水位信号ｗｓの有無を判定する。水位信号ｗｓがあれば、水位スイッチ２の常閉接点は閉じており設定水位に達していないと判断してステップ２１８に戻って給水弁５を駆動する。水位信号がなければ設定水位以上と判断してステップ２２１に進み洗浄ポンプ６を駆動して食器の洗浄行程に移行し、次行程に進む。
【００５０】
以上のように、本実施の形態においては、水位スイッチ２の常閉接点の信号により設定水位と判定した場合、排水ポンプ７を駆動するようにしたので、水位信号の有無により確実に水漏れ異常が判定でき、水漏れ異常の場合には排水することにより洗浄槽からの溢水を防止できる。
【産業上の利用可能性】
【００５１】
以上のように、本発明にかかる食器洗浄装置は、設定水位に達すると制御手段が通電されて運転起動し、給水手段からの水漏れを検出することができ、運転中以外は通電されないので待機時消費電力をほとんど零にすることができるので、洗浄槽内に給水して食器を洗浄する食器洗浄装置として有用である。
【図面の簡単な説明】
【００５２】
【図１】本発明の実施の形態１の食器洗浄装置のブロック図
【図２】同食器洗浄装置の動作を示すフローチャート
【図３】本発明の実施の形態２の食器洗浄装置の動作を示すフローチャート
【符号の説明】
【００５３】
１  交流電源
２  水位スイッチ
３  制御手段
４  電源リレー（電源開閉手段）
５  給水弁（給水手段）
６  洗浄ポンプ（洗浄手段）
７  排水ポンプ（排水手段）
【図１】
2005095485.tif 000003
【図２】
2005095485.tif 000004
【図３】
2005095485.tif 000005